(57)【要約】【課題】略ゴルフクラブを使用するのと同じ重量バランスでありながら、練習の際にクラブフェースの向きを容易に確認できる小型なゴルフスイング練習具を提供する。【解決手段】棒状部材からなる把持部２と、把持部２の両端部を囲繞する板状部材からなる錘部３と、把持部２と錘部３の間には把持部２を把持し得る所要な挿入孔４とからなるゴルフスイング練習具１であって、錘部３の重量中心に把持部２が配置されていない構成からなる。【選択図】図１
2019103560.tif 000002
【特許請求の範囲】
【請求項１】
棒状部材からなる把持部と、該把持部の両端部を囲繞する板状部材からなる錘部と、前記把持部と前記錘部の間には前記把持部を把持し得る所要な間隙を有する挿入孔とを有し、前記錘部の重量中心に前記把持部が配置されていない事を特徴とするゴルフスイング練習具。
【請求項２】
前記錘部にクラブフェースの向きを示す表示を有することを特徴とする請求項１に記載のゴルフスイング練習具。
【請求項３】
前記把持部は、前記錘部の内壁に着脱自在に配置され、金属又は繊維強化樹脂からなる中空管状のシャフト部と、該シャフト部を覆い包む伸縮自在な弾性材質からなるグリップ部とで構成されていることを特徴とする請求項１または請求項２に記載のゴルフスイング練習具。
【請求項４】
前記把持部と前記錘部とは、片手で把持する片手用ユニットを２個直列に連設したことを特徴とする請求項１から請求項３いずれか１項に記載のゴルフスイング練習具。
【請求項５】
前記片手用ユニットは、互いに着脱自在に連設していることを特徴とする請求項４に記載のゴルフスイング練習具。
【請求項６】
前記錘部は、ゴム又はエラストマー等の弾性材料からなることを特徴とする請求項１から請求項５いずれか１項に記載のゴルフスイング練習具。
【請求項７】
前記錘部は、鉄や非鉄金属であってゴム又はエラストマーと比重が違う素材を内包することを特徴とする請求項１から請求項６いずれか１項に記載のゴルフスイング練習具。
【発明の詳細な説明】
【技術分野】
【０００１】
本発明は、ゴルフのスイングを練習するために用いられる練習具に関し、詳しくは、室内などのスペースが少ないところでも、安全にゴルフ理論に則したゴルフスイングの練習が可能なゴルフスイング練習具に関するものである。
【背景技術】
【０００２】
初心者のゴルファーが技術を上達する為には、まず基本的なゴルフスイングを習得する必要がある。さらに、中級者、上級者となるには、その基本的なゴルフスイングを踏まえた上で、自身の体力体型やコース状況に合わせた応用的なゴルフスイングも必要となる。
【０００３】
その多様なゴルフスイングを習得する為には、ゴルフ理論に則した効率的な練習方法が必要となる。具体的には、クラブフェースの向きやスイングの軌跡などを強く意識しつつ練習することが重要である。
【０００４】
従来、ゴルフスイングを練習をする際には、本番のラウンドに使用するゴルフクラブ（以下、「ゴルフクラブ」と称する）を使用することが一般的でもあった。しかし、ゴルフクラブを使用すると、シャフト先端部に位置するクラブフェースの向きを、ゴルファー自身がスイング中に判断することは難しいという問題や、スイングの軌跡が大きく一定のスペースが必要となり、室内では練習しづらいという問題などがあった。
【０００５】
このような問題に対して特許文献１には、一端側にグリップ部（第１）が設けられた第１シャフト体と、さらに、一端側にグリップ部（第２）が設けられた第２シャフト体を所定間隔で略平行に配置するとともに、上記グリップ部（第１）が上記グリップ部（第２）よりも手前側に位置するように各グリップ（第１）、（第２）の位置を上記第１シャフト体と上記第２シャフト体の間で相対偏位させた状態で一体化して構成されたゴルフ練習具（ゴルフスイング練習具）が開示されている。
【先行技術文献】
【特許文献】
【０００６】
【特許文献１】特開２０１２−１６５５４号公報
【発明の概要】
【発明が解決しようとする課題】
【０００７】
しかし、特許文献１に記載のゴルフスイング練習具では、グリップ部がゴルフクラブと違うことや、グリップ部に対しての重量バランスがゴルフクラブと違い、ゴルファーが違和感を覚えるという問題があった。
【０００８】
本発明は、略ゴルフクラブを使用するのと同じ重量バランスでありながら、練習の際にクラブフェースの向きを容易に確認できる小型なゴルフスイング練習具を提供することを目的とする。
【課題を解決するための手段】
【０００９】
本発明は、上記目的を達成するために案出されたものである。詳述するならば、棒状部材からなる把持部と、該把持部の両端部を囲繞する板状部材からなる錘部と、前記把持部と前記錘部との間には前記把持部を把持し得る所要な挿入孔とを有し、前記錘部の重量は前記把持部を把持した状態で前記把持部より上方が、前記把持部より下方に対して重量を重く構成されているものが含まれる。
【００１０】
本発明のゴルフスイング練習具は、ゴルフクラブと比較すると小型でスイングの軌道が小さいので室内でも安全に練習できる。さらに、ゴルフクラブと略同等の重量バランスであることで、ゴルファーが実際のスイング感を感じ取ることができる効果がある。
【００１１】
本発明には、前記錘部の上面部分（厚さ部分）がクラブフェースの向きを示す位置に配置され該上面部分（厚さ部分）に視認可能となる表示を有する構成が含まれる。
【００１２】
本発明のゴルフスイング練習具は、ゴルファーが練習のため把持部を両手で握って構えると、錘部の上面部分（厚さ部分）にある表示で、クラブフェースの向きを判別できるので、スイングの各段階においても手元でクラブフェースの向きを視覚で確認することができる。
【００１３】
本発明には、前記把持部が、前記錘部の内壁の厚さ方向略中心部に着脱自在に配置され、該把持部は、金属又は繊維強化樹脂からなる中空管状のシャフト部と、該シャフト部を覆い包む伸縮自在でかつ着脱自在な弾性材質からなるグリップ部とを有する構成が含まれる。
【００１４】
本発明のゴルフスイング練習具は、グリップ部が汗で汚れた場合や表面が硬化した場合などは簡単に新しいグリップ部と交換でき、さらに、ゴルファーの好みに合わせたグリップ部に選択交換することもできる。
【００１５】
本発明には、前記把持部と錘部とは、片手で把持する片手用ユニットを所要の間隔をおいて２個直列に連設した構成が含まれる。
【００１６】
本発明のゴルフスイング練習具は、ゴルフクラブと比較して両手の握る位置を若干離して握ることとなることで、ゴルフスイング中に行う手の返しをより意識しながら練習できる効果がある。
【００１７】
本発明には、前記片手用ユニットが互いに着脱自在に連設している構成が含まれる。
【００１８】
本発明のゴルフスイング練習具は、片手用ユニットを単体で使用可能となり右手及び左手単体でゴルフスイングを確認できる効果がある。
【００１９】
本発明には、前記錘部がゴム又はエラストマー等の弾性材料の平板部材からなる構成が含まれる。
【００２０】
本発明のゴルフスイング練習具は、把持部の両端部を弾性材料で覆っていることから、ゴルファーがゴルフスイングの練習をする時に、自身の体に硬い把持部が当たる心配が無いので、自身の体に把持部を向け近づけるなどの思い切ったダウンスイングも安心して練習することができる。
【００２１】
本発明には、前記錘部に、鉄や非鉄金属など、ゴム又はエラストマー等と比重が違う素材を内包する構成が含まれる。
【００２２】
本発明のゴルフスイング練習具は、ゴルフクラブの重量バランスと略同じバランスに近づけるための調整部材として比重の違う素材でバランス配分を調整できる効果が期待できる。
【発明の効果】
【００２３】
本発明のゴルフスイング練習具を使用すると、室内でもゴルファーがゴルフクラブを使用したようにスイング感を感じ取ることができ、ゴルフスイング中もクラブフェースの向きを視覚で確認することができる効果がある。
【図面の簡単な説明】
【００２４】
【図１】本発明の第１実施形態に係るゴルフスイング練習具を示す正面図である。
【図２】本発明の第２実施形態に係るゴルフスイング練習具を示す正面図である。
【図３】図２に係るゴルフスイング練習具の片手用ユニット示す正面図である。
【図４】図２に係るゴルフスイング練習具の図３に示す片手ユニットと違うもう一方の片手用ユニットを示す正面図である。
【図５】図１に係るゴルフスイング練習具の使用状態を示す平面図である。
【図６】図３に係る片手用ユニットの使用状態を示す平面図である。
【図７】図４に係る片手用ユニットの使用状態を示す平面図である。
【図８】基本的なゴルフスイングの変化状態を示す説明図である。
【図９】本発明の第３実施形態に係るゴルフスイング練習具を示す正面図である。
【図１０】クラブヘッドの平面視軌道を示す説明図である。
【図１１】クラブヘッドの正面視軌道を描く円（スイングプレーン）を示す説明図である。
【発明を実施するための形態】
【００２５】
以下、本発明の実施形態を図面を参照しながら説明する。ただし、図面は模式的に図示しており、実際の寸法や比率等とは必ずしも一致しない。また、図面相互間において、お互いの寸法の関係や比率が異なる部分が含まれることがある。
なお、本実施形態において、ゴルファーがゴルフスイング練習具を構えた状態で、ゴルファー側を上側といい反対側を下側という。
【００２６】
（第１実施形態）
図１及び図５に示されるように、本実施形態に係るゴルフスイング練習具１は、棒状部材からなる把持部２と、把持部２を囲繞する弾性材料の板状部材からなる錘部３と、その把持部２と錘部３の間隙にはゴルファーが手を挿入可能な挿入孔４とで形成されている。
【００２７】
また、その錘部３は正面視略矩形の板状部材の四隅を曲線的に面取り加工で形成され、挿入孔４はゴルファーの両手が挿入可能となる所要な間隙を形成し、その内周縁７には手首などを避けるための縁取り部８が形成されている。
【００２８】
さらに、挿入孔４の内壁９の厚さ方向略中心部には、把持部２が着脱自在に挿着されている。その把持部２は、金属又は繊維強化樹脂からなる中空管状のシャフト部１０と、そのシャフト部１０を覆い包む伸縮自在でかつ着脱自在なゴム又はエラストマー等の弾性材質からなるグリップ部１１とで形成されている。
【００２９】
把持部２の装着方法は、内壁９の前後所要位置にシャフト部１０の外径よりやや小さい取り付け孔（図示せず）を設け、シャフト部１０を挿入すると錘部３は弾性材料からなることから、その復元力でシャフト部１０を保持し、さらにグリップ部１１で前後方向の移動を防止し固定する。
【００３０】
錘部３の重量は、ゴルファーがゴルフスイング練習具１を構えた状態で、把持部３より上方が把持部３より下方と比べ重く形成されている。さらに、錘部３はクラブフェースの向きを示す位置に配置されており、その上面部分１２に視認可能となる着色による表示部１３が形成されている。
【００３１】
錘部３の素材としては、ゴム又はエラストマー等の弾性材料を使用すれば良く、その場合の製造方法としては、素材となるゴム板などを切削加工にて成形するか、もしくは、金型によるプレス成形や射出成形で一体成形で製造しても良い。
【００３２】
次に、本実施形態に係るゴルフスイング練習具１の使用方法を説明する。
図８に示すのは、基本のゴルフスイングの変化状態を順に示したものである。まず、アドレス（Ａ）から始まり、バックスイングに入ってハーフウェイバック（Ｂ）さらにトップ（Ｃ）、そして、ダウンスイング（Ｄ）（Ｅ）、インパクト（Ｆ）、フォロースルー（Ｇ）、フィニッシュ（Ｈ）と変化する。
【００３３】
ここで、本実施形態に係るゴルフスイング練習具１を使用するには、まず、図５に示すように錘部３の両側より、左右の手でグリップ部１１を握りアドレスする。その際、表示部１３の位置をクラブフェースの向きと仮想して構え、ゴルフスイングを始める。この様にすることで、ゴルフスイングのいずれの状態でもクラブフェースの向きを視覚で確認して練習することができる。
【００３４】
ゴルフスイングの基本は、図１０に示すクラブヘッドの平面視軌道でインサイドイン（１）が基本とされている。そのインサイドイン（１）とは、飛球方向（ａ）に対してダウンスイングでクラブが内側から入り、インパクトポイント（ｂ）を過ぎて内側に抜けることであり、さらに、その時のインパクトポイント（ｂ）におけるクラブフェースの向きが、飛球方向（ａ）に対して直角となるスクエアとなることが求められる。
【００３５】
また、クラブヘッドの軌道は、基本のインサイドイン（１）だけではなく、図１０に示すアウトサイドイン（２）やインサイドアウト（３）などのゴルフスイングもある。さらに、正面視のクラブヘッド軌道では、図１１に示すクラブヘッドの正面視軌道を描く円（スイングプレーン）が地面に対して垂直近くになるアップライトスイング（イ）など様々なゴルフスイングがある。
【００３６】
この様に多種多様などのゴルフスイングであっても、インパクトポイント（ｂ）におけるクラブフェースの向きは飛球方向（ａ）に対してスクエアとなることが求められる。しかし、ゴルフクラブは、スイング中にシャフトが鞭のようにしなり、ダウンスイングではグリップよりもクラブヘッドは遅れて進み、その結果クラブフェースは開き気味となる。さらにスイング途中からはクラブヘッドがグリップを追い越して逆にしなるという現象となり、クラブヘッドとグリップは同じ動きとはならない。従って、それを意識して早目に手を返し、積極的にクラブフェースを閉じたりするなど、クラブフェースをグリップでコントロールすることが必要となる。
【００３７】
さらに、ゴルフスイング中にシャフトを軸にバックスイングで右に回して、フォロースルーで左に回すフェースローテーションを積極的に行い、飛距離アップを求めるスイングでも、クラブフェースのコントロールは重要となる。
【００３８】
このように、ゴルフスイング中は常にクラブフェースの向きを意識することが重要であるところ、本実施形態に係るゴルフスイング練習具１は、ゴルフスイング中もクラブフェースの向きを視覚で確認することができるとともに、室内でもゴルファーがゴルフクラブを使用したようにスイング感を感じ取ることができ、さらに、錘部３が弾性材料を使用した構成となっているので、ゴルファーの体に接触しても安全なため、思い切ったゴルフスイングが恐れることなく練習できる効果を発揮する。
【００３９】
（第２実施形態）
図２、図３及び図４に示されるように、本実施形態に係るゴルフスイング練習具２０は、把持部２１と錘部３１とからなる片手用ユニット５０と、把持部２２と錘部３２とからなる片手用ユニット６０とを、着脱自在に連設して形成されている。
【００４０】
片手用ユニット５０と片手用ユニット６０とは、把持部２１と把持部２２とが連なる向きに着脱自在に連設されている。その連結方法は、嵌合ピン６１と嵌合孔６２の嵌合及び連結部材７１，７２で着脱自在に連結されおり、連結部材７１，７２は強磁性部材と磁石の組み合わせでも良いし、面ファスナー部材を用いても良い。
【００４１】
錘部３１は上面より下面が狭い正面視略台形状の四隅を曲線的に面取り加工し、錘部３２は正面視略矩形状の四隅の内、２つの隣り合う角を一つの曲線的に面取り加工したものと残りの２つの角は其々単体で曲線的に面取り加工し形成されている。
また、挿入孔４１，４２はゴルファーの片手が挿入可能となる所要な間隙が形成されている。
【００４２】
錘部３１，３２と把持部２１，２２の素材や製造方法、さらに錘部３１，３２への把持部２１，２２の取り付け方法等は、第１実施形態の場合と同様である。
【００４３】
以下、本実施形態に係るゴルフスイング練習具２０を使用する方法を説明する。
右利きのゴルファーが、図２に示すように連結状態で使用するには、手前のグリップ部１１１を左手で握り、前側のグリップ部１１２を右手で握りゴルフスイングすれば良い。
また、図６または図７に示すように、片手ユニット５０，６０を其々切り離して使用する場合は、其々片手でグリップ部１１１，１１２を握り片手でゴルフスイングすれば良い。
【００４４】
本実施形態の効果としては、片手ユニット５０，６０を其々切り離して使用すると右手左手其々別々の動きを確認することができる。一方、連結状態で使用すると、右手と左手とをゴルフクラブの場合より若干離して握ることになり、ゴルファーを中心として手前側のグリップ１１１より前側のグリップ１１２の方がスイング中はゴルファーからさらに遠回りに動くこととなるので、ゴルファーは肩を大きく回す動きを引き出すことができるので肩を使った正しいテークバックを体得でき、さらに、インパクト後は前側のグリップ１１２が手前側のグリップ１１１を追い越す動きとなり、そのことで手の返しを体得することができる効果も発揮する。
【００４５】
（第３実施形態）
図９に示されるように、本実施形態に係るゴルフスイング練習具３０は、錘部３３に鉄や非鉄金属など、ゴム又はエラストマーと比重が違う調整部材８０を内包して形成されている。
その他、錘部３３と把持部２３の素材や製造方法、さらに、錘部３３への把持部２３の取り付け方法等は、第１実施形態の場合と同様である。
【００４６】
本実施形態の効果としては、ゴルフスイング練習具３０を、ゴルフクラブの重量バランスと略同じバランスに近づけるための調整部材８０として比重の違う素材でバランス配分を調整できる効果を発揮する。
【実施例】
【００４７】
以下、本発明の実施例について説明するが、本発明は、以下の実施例に限定されるものではなく、発明の要旨の範囲内で適宜変更して実施できる。
【００４８】
本発明のゴルフスイング練習具１を実施するには、図１及び図５に示される各部の寸法を以下の様に設定する。
具体的には、錘部３の全長Ｌ１を３７ｃｍとし、全高Ｔは２１ｃｍとし、幅Ｗは２ｃｍとした。また、グリップ部１１の全長Ｌ２は１９ｃｍとした。
【００４９】
さらに、全体の重量としては、ゴルフクラブが概ね４００ｇから５００ｇ程度なのに対して、ゴルフスイング練習具１は１１００ｇ程度とした。重量配分としては、略ゴルフクラブと同等、すなわち把持部２より上側の重量が全体の２／３となるように形成した。
【００５０】
材料は、錘部３を合成ゴムの板材で形成し、シャフト部１０はゴルフクラブの金属製シャフトを長さ２４ｃｍ程度に切断して形成し、グリップ部１１もゴルフクラブ用グリップの後端部を切断して形成した。
【００５１】
本実施例のゴルフスイング練習具１は、ゴルフクラブの略２倍程度の重量に設定してあることから、どこの筋肉を使用しているのか、どこの関節がどの様に動いているのか等、体の動きがゴルフクラブよりゴルファー自身が感じ取り易い効果を発揮する。
【００５２】
以上のように、本発明を実施するための最良の構成、方法等は、前記記載で開示されているが、本発明はこれに限定されるものではない。
例えば、上記実施形態や実施例では、錘部をゴム又はエラストマー等の弾性材料で形成したがそれらに限定するものではなく、プラスチックなどの樹脂組成物で形成しても良い。
【００５３】
また、上記実施形態や実施例では、錘部を正面視略矩形状や正面視略台形状の四隅を曲線的に面取り加工し形成したが、それに限定するものではなく、例えば、楕円形状や円形状でも良く、特に形状を限定するものではない。
【符号の説明】
【００５４】
１，２０，３０    ゴルフスイング練習具
２，２１，２２，２３    把持部
３，３１，３２，３３    錘部
４，４１，４２，４３    挿入孔
７    内周縁
８    縁取り部
９    内壁
１０，１０１，１０２，１０３    シャフト部
１１，１１１，１１２、１１３    グリップ部
１３    表示部
５０，６０    片手用ユニット
６１    嵌合ピン
６２    嵌合孔
７１，７２    連結部材
８０    調整部材
Ｘ    グリップエンド側
【図１】
2019103560.tif 000003
【図２】
2019103560.tif 000004
【図３】
2019103560.tif 000005
【図４】
2019103560.tif 000006
【図５】
2019103560.tif 000007
【図６】
2019103560.tif 000008
【図７】
2019103560.tif 000009
【図８】
2019103560.tif 000010
【図９】
2019103560.tif 000011
【図１０】
2019103560.tif 000012
【図１１】
2019103560.tif 000013
【手続補正書】
【提出日】平成30年1月13日(2018.1.13)
【手続補正１】
【補正対象書類名】特許請求の範囲
【補正対象項目名】全文
【補正方法】変更
【補正の内容】
【特許請求の範囲】
【請求項１】
棒状部材からなる把持部と、該把持部の両端部を囲繞する板状部材からなる錘部と、前記把持部と前記錘部の間には前記把持部を把持し得る所要な間隙を有する挿入孔とを有し、前記把持部は中空管状のシャフト部と、該シャフト部を覆い包むグリップ部とで構成され、前記シャフト部の両端は前記挿入孔の内壁の厚さ方向略中心部の所要位置に埋設され、前記錘部の重量中心に前記把持部が配置されていない事を特徴とするゴルフスイング練習具。
【請求項２】
前記錘部にクラブフェースの向きを示す表示を有することを特徴とする請求項１に記載のゴルフスイング練習具。
【請求項３】
前記把持部は、前記錘部の内壁に着脱自在に配置され、金属又は繊維強化樹脂からなる中空管状のシャフト部と、該シャフト部を覆い包む伸縮自在な弾性材質からなるグリップ部とで構成されていることを特徴とする請求項１または請求項２に記載のゴルフスイング練習具。
【請求項４】
前記把持部と前記錘部とは、片手で把持する片手用ユニットを２個直列に連設したことを特徴とする請求項１から請求項３いずれか１項に記載のゴルフスイング練習具。
【請求項５】
前記片手用ユニットは、互いに着脱自在に連設していることを特徴とする請求項４に記載のゴルフスイング練習具。
【請求項６】
前記錘部は、ゴム又はエラストマー等の弾性材料からなることを特徴とする請求項１から請求項５いずれか１項に記載のゴルフスイング練習具。
【請求項７】
前記錘部は、鉄や非鉄金属であってゴム又はエラストマーと比重が違う素材を内包することを特徴とする請求項１から請求項６いずれか１項に記載のゴルフスイング練習具。
【手続補正２】
【補正対象書類名】明細書
【補正対象項目名】０００９
【補正方法】変更
【補正の内容】
【０００９】
本発明は、上記目的を達成するために案出されたものである。詳述するならば、棒状部材からなる把持部と、該把持部の両端部を囲繞する板状部材からなる錘部と、前記把持部と前記錘部との間には前記把持部を把持し得る所要な挿入孔とを有し、前記把持部は中空管状のシャフト部と、該シャフト部を覆い包むグリップ部とで構成され、前記シャフト部の両端は前記挿入孔の内壁の厚さ方向略中心部の所要位置に埋設され、前記錘部の重量は前記把持部を把持した状態で前記把持部より上方が、前記把持部より下方に対して重量を重く構成されているものが含まれる。
【手続補正３】
【補正対象書類名】明細書
【補正対象項目名】００２９
【補正方法】変更
【補正の内容】
【００２９】
把持部２の装着方法は、内壁９の前後所要位置にシャフト部１０の外径よりやや小さい取り付け孔（図示せず）を設け、シャフト部１０の両端を挿入し埋設すると錘部３は弾性材料からなることから、その復元力でシャフト部１０を保持し、さらにグリップ部１１で前後方向の移動を防止し固定する。